(57)【要約】【課題】制御基板に対する不正行為をより確実に防止可能な基板ケースユニットを提供する。【解決手段】基板ケースユニットは、ボトムケース１２０に対してトップケース１３０を閉止方向に相対移動させるときは、ロック部材１６０が第１ロックリブ１２３に押圧されて所定方向に揺動することで、閉止方向への前記相対移動が可能となり、閉止状態からボトムケース１２０に対してトップケース１３０を開放方向に相対移動させようとするときは、ロック部材１６０が第２ロックリブ１２４に押圧されて反対方向へ揺動しようとするが弾性爪部１３４によって当該揺動が規制されることで、開放方向への前記相対移動が阻止されるよう構成する。【選択図】図１８
2014147426.tif 000002
【特許請求の範囲】
【請求項１】
第１ケース部材及び前記第１ケース部材に対して開閉可能に取り付けられる第２ケース
部材を備え、前記第１ケース部材に対して前記第２ケース部材を開閉移動方向における閉
止方向に相対移動させて前記第２ケース部材を前記第１ケース部材に閉止状態で保持させ
て、当該閉止状態で前記第１ケース部材及び前記第２ケース部材に囲まれて形成されるケ
ース内部に制御基板を収容する基板ケースユニットであって、
前記第２ケース部材内に設けられ、前記開閉移動方向と直交する軸周りに揺動可能なロ
ック部材と、
前記第２ケース部材内に設けられ、前記ロック部材の所定方向の揺動のみを許容して反
対方向の揺動を規制する規制部と、
前記第１ケース部材内に設けられ、前記第１ケース部材に前記第２ケース部材を前記閉
止状態に保持させたときに前記ロック部材と係合する被係合部と、を備え、
前記第１ケース部材に対して前記第２ケース部材を前記閉止方向に相対移動させるとき
は、前記ロック部材が前記被係合部に押圧されて前記所定方向に揺動することで、前記閉
止方向への前記相対移動が可能となり、
前記閉止状態から前記第１ケース部材に対して前記第２ケース部材を前記開閉移動方向
における開放方向に相対移動させようとするときは、前記ロック部材が前記被係合部に押
圧されて前記反対方向へ揺動しようとするが前記規制部によって当該揺動が規制されるこ
とで、前記開放方向への前記相対移動が阻止されるよう構成したことを特徴とする基板ケ
ースユニット。
【請求項２】
前記ロック部材は、前記第２ケース部材に軸支される軸部と、前記軸部から相互に異な
る方向に延びる第１ロック突起及び第２ロック突起とを有し、
前記被係合部は、前記第１ケース部材に前記第２ケース部材を前記閉止状態に取り付け
たときに前記第１ロック突起と前記第２ロック突起との間に挿入係合されて、前記第１ロ
ック突起と近接対向する第１被係合部と、前記第２ロック突起と近接対向する第２被係合
部と、を有し、
前記規制部材は、前記開閉方向と略直交する方向に弾性変形自在に形成されて、前記第
１ケース部材に対して前記第２ケース部材を前記開放方向に相対移動させるときは、前記
ロック部材の前記第２ロック突起によって前記略直交方向に押動されて弾性変形すること
で前記ロック部材の前記所定方向の揺動を許容し、前記第１ケース部材に対して前記第２
ケース部材を前記閉止状態に取り付けたときは、前記略直交方向に弾性的に復元して前記
第２被係合部との間で前記第２ロック突起を挟み込んで前記ロック部材の前記反対方向へ
の揺動を規制することを特徴とする請求項１に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御
基板が設けられている。例えば、主制御基板ないしメイン制御基板と称される制御基板に
は、遊技機の制御ソフトウェアが書き込まれたＲＯＭが搭載され、遊技機の作動を統括的
に制御する中枢制御装置としての役割を有している。そのため、遊技機の制御基板は、偽
造ＲＯＭへの差し替えや不正回路の付加などの行為対象になりやすい。
【０００３】
このような不正行為を防止して公正な遊技に供するため、制御基板は、ともに透明な樹
脂材料を用いて形成されたケース本体とその前方に開閉可能に装着されるケース蓋とから
なる基板ケース内に収容されている。また、基板ケースには、ケース本体に対してケース
蓋を閉止状態で装着したときに、ケース本体の側に形成した係合部とケース蓋の側に形成
した係合部とが係合連結することで基板ケースを閉止状態でロックし、ケース蓋（もしく
はケース本体）とその係合部との間を繋ぐ連結部をニッパ等の工具を用いて切り離さない
限り基板ケースを開放不能にする不正開放防止構造が設けられている（例えば、特許文献
１を参照）。
【先行技術文献】
【特許文献】
【０００４】
【特許文献１】特開２００４−６５２８０号公報
【発明の概要】
【発明が解決しようとする課題】
【０００５】
しかしながら、制御基板に対する不正行為は巧妙化しており、このような不正行為をよ
り確実に防止する対策が求められている。
【０００６】
本発明は、このような課題に鑑みてなされたものであり、制御基板に対する不正行為を
より確実に防止可能な基板ケースユニットを提供することを目的とする。
【課題を解決するための手段】
【０００７】
このような目的達成のために、本発明に係る基板ケースユニットは、第１ケース部材（
例えば、実施形態におけるボトムケース１２０）及び第１ケース部材に対して開閉可能に
取り付けられる第２ケース部材（例えば、実施形態におけるトップケース１３０）を備え
、第１ケース部材に対して第２ケース部材を開閉移動方向における閉止方向に相対移動さ
せて第２ケース部材を第１ケース部材に閉止状態で保持させて、当該閉止状態で第１ケー
ス部材及び第２ケース部材に囲まれて形成されるケース内部に制御基板を収容する基板ケ
ースユニット（例えば、実施形態における主制御基板ケースユニット１００）であって、
第２ケース部材内に設けられ、開閉移動方向と直交する軸周りに揺動可能なロック部材と
、第２ケース部材内に設けられ、ロック部材の所定方向の揺動のみを許容して反対方向の
揺動を規制する規制部（例えば、実施形態における弾性爪部１３４）と、第１ケース部材
内に設けられ、第１ケース部材に第２ケース部材を閉止状態に保持させたときにロック部
材と係合する被係合部（例えば、実施形態におけるロックリブ１２３，１２４）とを備え
、第１ケース部材に対して第２ケース部材を閉止方向に相対移動させるときは、ロック部
材が被係合部に押圧されて所定方向に揺動することで、閉止方向への相対移動が可能とな
り、閉止状態から第１ケース部材に対して第２ケース部材を開閉移動方向における開放方
向に相対移動させようとするときは、ロック部材が被係合部に押圧されて反対方向へ揺動
しようとするが規制部によって当該揺動が規制されることで、開放方向への相対移動が阻
止されるよう構成する。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】ぱちんこ遊技機の背面図である。
【図３】上記主制御基板ケースユニットの分解斜視図である。
【図４】上記主制御基板ケースユニットにおけるボトムケースの斜視図である。
【図５】上記主制御基板ケースユニットにおけるトップケースの斜視図である。
【図６】上記主制御基板ケースユニットにおける支持部材の斜視図である。
【図７】上記主制御基板ケースユニットにおけるロック部材の斜視図である。
【図８】支持部材とロック部材とが分離された状態を示す斜視図である。
【図９】ロックユニットが一体化された状態を示す斜視図である。
【図１０】トップケースにロックユニットを組み付ける以前の状態を示す斜視図である。
【図１１】トップケースをボトムケースに組み付ける以前の状態を示す斜視図である。
【図１２】ボトムケースにトップケースを挿入した状態を示す斜視図である。
【図１３】ボトムケースにトップケースを挿入した状態においてロック脚部とロックリブとの関係を説明するための断面図である。
【図１４】ボトムケースにトップケースを挿入した状態においてロック脚部と弾性爪部との関係を説明するための断面図である。
【図１５】ボトムケースにトップケースを挿入した状態においてロック脚部と弾性爪部との関係を説明するための斜視図（一部断面図）である。
【図１６】ボトムケースとトップケースとを閉止した状態においてロック脚部とロックリブとの関係を説明するための断面図である。
【図１７】ボトムケースとトップケースとを閉止した状態においてロック脚部と弾性爪部との関係を説明するための断面図である。
【図１８】ボトムケースとトップケースとを閉止した状態においてロック脚部と弾性爪部との関係を説明するための斜視図（一部断面図）である。
【発明を実施するための形態】
【００１０】
以下、本発明の好ましい実施形態について図面を参照して説明する。本発明に係る基板
ケースユニットを備えた遊技機の代表例として、ぱちんこ遊技機ＰＭの斜視図及び背面図
を図１及び図２に示しており、まず、この図を参照してぱちんこ遊技機ＰＭの全体構成に
ついて説明する。
【００１１】
［ぱちんこ遊技機の全体構成］
始めに、図１を参照しながら、ぱちんこ遊技機ＰＭの正面側の基本構造を説明する。ぱ
ちんこ遊技機ＰＭは、図１に示すように、外郭方形枠サイズに構成された縦向きの固定保
持枠をなす外枠１の開口前面に、これに合わせた方形枠サイズに構成されて開閉搭載枠を
なす前枠２が互いの正面左側縁部に配設された上下のヒンジ機構３により横開き開閉およ
び着脱が可能に取り付けられ、正面右側縁部に設けられたダブル錠と称される施錠装置４
を利用して常には外枠１と係合連結された閉鎖状態に保持される。
【００１２】
前枠２には、この前枠２の上部前面域に合わせた方形状のガラス枠５が上下のヒンジ機
構３を利用して横開き開閉および着脱可能に組み付けられ、施錠装置４を利用して常には
前枠２の前面を覆う閉鎖状態に保持される。前枠２には、遊技盤１０が着脱可能にセット
保持され、常には閉鎖保持されるガラス枠５の複層ガラス５ａを通して遊技盤１０の正面
の遊技領域ＰＡを視認可能に臨ませるようになっている。
【００１３】
ガラス枠５の下部には遊技球を貯留する上下の球皿（上球皿６ａ及び下球皿６ｂ）が設
けられ、下球皿６ｂの正面右側には遊技球の発射操作を行う発射ハンドル７が設けられて
いる。ガラス枠５の前面側には、発光ダイオード（ＬＥＤ）やランプ等の電飾装置８や、
遊技の展開状態に応じて効果音を発生させるスピーカ９が設けられている。
【００１４】
図１では詳細な図示を省略しているが、遊技盤１０は、ルータ加工等を施した矩形状の
積層合板に、所定の図柄が印刷されたセルを貼り付けて成型される化粧板を基板とし、上
下のレール飾りに囲まれて略円形状の遊技領域ＰＡが形成される。遊技領域ＰＡには、多
数本の遊技釘、風車、中央飾り、遊技の進行状況に応じて所定の画像が表示される演出表
示装置、各種入賞口などの遊技構成部品が設けられ、遊技領域ＰＡの下端部には入賞口に
落入することなく落下した遊技球を裏面側に排出するためのアウト口が遊技盤１０を前後
に貫通して形成されている。
【００１５】
続いて、図２を参照しながら、ぱちんこ遊技機ＰＭの背面側の基本構造を説明する。前
枠２の背面側には、中央に前後連通する窓口を有して前枠２よりも幾分小型の矩形枠状に
形成された基枠体をベースとしてなる裏セット盤３０が、上下のヒンジ機構３を介して前
枠２後方に横開き開閉及び着脱が可能に連結されている。この裏セット盤３０には、前面
開放の矩形箱状をなす裏セットカバー３０Ｃが着脱自在に装着されており、常には前枠２
に取り付けられた遊技盤１０の裏面側を覆って配設されている（これにより後述する主制
御基板ケースユニット１００及び演出制御基板ケースユニット２００が裏セットカバー３
０Ｃにより覆われる）。
【００１６】
裏セット盤３０の各部には、多数個の遊技球を貯留する球貯留タンク３１、球貯留タン
ク３１から右方に緩やかな下り傾斜を有して延びるタンクレール３２、タンクレール３２
の右端部に繋がり下方に延びる球供給通路部材３３、球供給通路部材３３により導かれた
遊技球を払い出す賞球払出ユニット３４、賞球払出ユニット３４から払い出された遊技球
を上球皿６に導くための賞球通路部材３５などが設けられている。
【００１７】
遊技盤１０の背面側には、ぱちんこ遊技機ＰＭの作動を統括的に制御する主制御基板４
１（主制御基板ケースユニット１００）や、遊技展開に応じた画像表示、効果照明、効果
音等の演出全般の制御を行う演出制御基板４２（演出制御基板ケースユニット２００）な
どが取り付けられている。これに対して、裏セット盤３０の背面側には、遊技球の発射及
び払い出しに関する制御を行う払出制御基板４３（払出制御基板ケースユニット３００）
や、遊技施設側から受電して各種制御基板や電気・電子部品に電力を供給する電源基板４
４（電源基板ケースユニット４００）などが取り付けられている。これらの制御基板とぱ
ちんこ遊技機ＰＭ各部の電気・電子部品とがハーネス（コネクタケーブル）で接続されて
、ぱちんこ遊技機ＰＭが作動可能に構成されている。
【００１８】
ぱちんこ遊技機ＰＭは、外枠１が遊技施設の遊技島（設置枠台）に固定設置され、前枠
２、ガラス枠５等が閉鎖施錠された状態で遊技に供され、上球皿６ａに遊技球を貯留させ
て発射ハンドル７を回動操作することにより遊技が開始される。発射ハンドル７が回動操
作されると、上球皿６ａに貯留された遊技球が、ガラス枠５の背面側に配設される球送り
機構によって１球ずつ発射機構に送り出され、発射機構により遊技領域ＰＡに打ち出され
て、以降パチンコゲームが展開される。
【００１９】
［主制御基板ケースユニットの構成］
次に、本実施形態に係る主制御基板ケースユニット１００の構成について図３〜図１０
を追加参照して説明する。ここで、図３は主制御基板ケースユニット１００の分解斜視図
、図４はボトムケースの斜視図、図５はトップケースの斜視図、図６はロックユニットに
おける支持部材の斜視図、図７はロックユニットにおけるロック部材の斜視図、である。
ここで、図４〜図７においては、説明の理解を容易にするために、主制御基板ケースユニ
ット１００から要部のみを切り離した状態でこれらのみを取り出して図示している。なお
、以降の説明においては、説明の便宜のため、上下及び左右前後の方向は、図３の状態を
基準にして定義しており、図３に示す矢印の方向をそれぞれ前後、左右、上下と称して説
明する。
【００２０】
主制御基板ケースユニット１００は、ぱちんこ遊技機ＰＭにおける制御の中枢を担う前
述の主制御基板４１と、主制御基板４１を内部に収容する略矩形容器状の基板ケース１１
０と、を主体として構成されている。
【００２１】
主制御基板４１は、詳細図示を省略しているが、矩形形状のプリント配線板を基板とし
て種々の半導体デバイスや抵抗、コンデンサ、コネクタ等の電子・電気部品が実装されて
構成されている。この主制御基板４１は、基板ケース１１０（後述するトップケース１３
０）の内面側にビス止め固定される。
【００２２】
基板ケース１１０は、遊技盤１０の背面に着脱されるボトムケース１２０と、このボト
ムケース１２０にスライド着脱自在に取り付けられるトップケース１３０と、トップケー
ス１３０の内面側に装着されるロックユニット１４０と、を備えて構成されており、ボト
ムケース１２０に対してトップケース１３０を左右方向（「スライド方向」とも称する）
にスライド装着した閉止状態において、ボトムケース１２０とトップケース１３０とがロ
ックユニット１４０によってスライド不能にロック固定される。ボトムケース１２０及び
トップケース１３０には、主制御基板４１を収容するための基板収容空間１２０Ｓ，１３
０Ｓがそれぞれ形成されており、互いの基板収容空間１２０Ｓ，１３０Ｓ同士を相対向さ
せた閉止状態で結合されて一体化される。ボトムケース１２０及びトップケース１３０は
、共に透明な樹脂材料（例えば、ポリカーボネート等）を用いて射出成形等の成形手段に
より形成され、外部からでも基板ケース１１０内を視認可能に構成されている。
【００２３】
ボトムケース１２０は、基壁１２１ａ及びこの基壁１２１ａの周縁から立設される側壁
１２１ｂを有し、全体として上面が開放された矩形箱状に形成されたボトムケース本体１
２１を主体として構成される。ボトムケース本体１２１の前後の側壁１２１ｂには、スラ
イド方向（左右方向）に延びる凸状のスライド係合突起１２２が内側に向けて突設されて
いる。また、ボトムケース本体１２１の基壁１２１ａには、スライド方向と直交する面内
方向に延びる第１ロックリブ１２３及び第２ロックリブ１２４が立設されている。第１ロ
ックリブ１２３及び第２ロックリブ１２４は、共に前後方向に延びる横長の平板状に形成
され、スライド方向に所定の間隔をおいて並設されている。
【００２４】
トップケース１３０は、基壁１３１ａ及びこの基壁１３１ａの周縁から立設される前後
左右の側壁１３１ｂを有し、全体として下面開放の矩形箱状に形成されたトップケース本
体１３１を主体として構成される。トップケース１３０は、ボトムケース１２０のボトム
側空間１２１Ｓと略同一の大きさに形成されており、ボトムケース１２０にスライド装着
可能に形成されている。トップケース本体１３１の前後の側壁１３１ｂには、スライド方
向（左右方向）に延びてボトムケース１２０のスライド係合突起１２２と係合するスライ
ド係合溝１３２が凹設されている。また、トップケース本体１３１の基壁１３１ａには、
ロックユニット１４０を取り付けるための固定溝１３３が凹設されている。また、トップ
ケース本体１３１の前後の側壁１３１ｂにおいて、固定溝１３３と上下に略整合する位置
には、この側壁１３１ｂから内側に折り曲げ形成されて側壁１３１ｂから片持ち状に延設
される弾性爪部１３４が設けられている。弾性爪部１３４は、側壁１３１ｂとの結合部を
固定端として、先端部が自由端となって板厚方向（略前後方向）に弾性変形可能に形成さ
れている。弾性爪部１３４の内面側上端には、上方にいくにつれて弾性爪部１３４の厚み
が薄くなるように傾斜した傾斜面１３４ａが形成されている。なお、トップケース本体１
３１には、主制御基板４１のコネクタ（図示省略）の実装位置に対応して表裏貫通するコ
ネクタ挿抜口（図示せず）が形成されており、主制御基板４１がトップケース１３０に取
り付けられた状態で、主制御基板４１のコネクタがコネクタ挿抜口を通して外部に露出し
、演出制御基板４２や払出制御基板４３等とハーネス（コネクタケーブル）を介して電気
接続可能となる。
【００２５】
ロックユニット１４０は、トップケース１３０における基壁１３１ａの固定溝１３３に
固定される支持部材１５０と、この支持部材１５０に着脱自在に取り付けられるロック部
材１６０とから構成される。
【００２６】
支持部材１５０は、コ字形に屈曲形成された固定板部１５１と、この固定板部１５１に
おける天板の内面側から下方に突出された一対の軸受部１５２とが形成されている。軸受
部１５２は、略鉤状に形成された支持アーム１５３と、支持アーム１５３の両脇に形成さ
れた一対の支持ガイド１５４とからなる。支持アーム１５３は後述するロック部材１６０
の軸部１６１の下面側を受け、支持ガイド１５４は軸部１６１の上面側を受ける。
【００２７】
ロック部材１６０は、前後方向に延びる円筒状の軸部１６１と、軸部１６１の外周面か
ら半径方向外方に延びる平板状の第１ロック脚部１６２及び第２ロック脚部１６３と、を
有している。軸部１６１は、支持部材１５０の支持アーム１５３と支持ガイド１５４との
間に挟持されて軸受部１５２に軸支可能に形成されている。第１ロック脚部１６２と第２
ロック脚部１６３とは、軸部１６１の外周面から分岐して径方向外方に延びる二股状を呈
している（軸部１６１の周方向に互いにずれた位置に形成されている）。第１ロック脚部
１６２と第２ロック脚部１６３との間には、第１ロックリブ１２３と第２ロックリブ１２
４とを挿入可能な大きさの空隙１６４が形成されている。第１ロック脚部１６２と第２ロ
ック脚部１６３には、支持部材１５０の支持アーム１５３を挿通可能な大きさのアーム挿
通孔１６２ａ，１６３ａが表裏に貫通形成されており、支持アーム１５３をアーム挿通孔
１６２ａ，１６３ａに挿通させた状態で軸受部１５２と軸部１６１とが係合され、ロック
部材１６０が支持部材１５０に対して時計回り及び反時計回りに揺動自在に連結される。
【００２８】
［主制御基板ケースユニットの作用］
次に、このように構成される主制御基板ユニット１００の作用について、図８〜図１８
を追加参照して説明する。なお、図８〜図１８においては、説明の理解を容易にするため
に、主制御基板ケースユニット１００から要部のみを切り離した状態でこれらのみを取り
出して図示している。
【００２９】
主制御基板ケースユニット１００を組み立てるには、まず始めに、図８及び図９に示す
ように、支持部材１５０の軸受部１５２にロック部材１６０の軸部１６１を係合させて、
支持部材１５０にロック部材１６０を組み付ける。これにより、ロック部材１６０が支持
部材１５０に対して軸部１６１を中心に揺動自在に連結されて、ロックユニット１４０が
一体化される。
【００３０】
続いて、詳細図示を省略するが、トップケース１３０の内面側に主制御基板４１をビス
止め固定して、トップケース空間１３１Ｓ内に主制御基板４１を収容する。そして、図１
０に示すように、ロックユニット１４０における固定板部１５１をトップケース１３０の
固定溝１３３に固定して、ロックユニット１４０をトップケース１３０に組み付ける。こ
れにより、トップケース１３０、主制御基板４１及びロックユニット１４０が一体化され
る。なお、説明の便宜のため、トップケース１３０、主制御基板４１及びロックユニット
１４０が一体化された状態を、以降においては「トップケースアッシー１３０Ａ」と称す
る。
【００３１】
続いて、図１１及び図１２に示すように、トップケースアッシー１３０Ａをボトムケー
ス１２０に対して左右方向に若干ずらした位置で前後に対向させてから、トップケースア
ッシー１３０Ａをボトムケース１２０内に挿入する。このとき、図１３に示すように、ロ
ックユニット１４０の第１ロック脚部１６２と第２ロック脚部１６３との間に、ボトムケ
ース１２０の第１ロックリブ１２３及び第２ロックリブ１２４が挿入係合され、第１ロッ
ク脚部１６２と第１ロックリブ１２３とが近接対向（又は当接）するとともに、第２ロッ
ク脚部１６３と第２ロックリブ１２４とが近接対向（又は当接）する。また、この状態で
は、図１４及び図１５に示すように、トップケース１３０の弾性爪部１３４はロック部材
１６０によってトップケース空間１３０Ｓ内へ張り出した自由状態（弾性変形していない
状態）から若干だけ側壁１３１ｂ側へ弾性変形している。なお、このとき、弾性爪部１３
４には傾斜面１３４ａが形成されているので、ロック部材１６０は傾斜面１３４ａに案内
されて弾性爪部１３４に円滑に係合されるようになっている。
【００３２】
次に、トップケースアッシー１３０Ａを閉止方向（図１３及び図１４では左方向）にス
ライド移動させて、ボトムケース１２０とトップケース１３０とを閉止させる。このとき
、ボトムケース１２０のスライド係合突起１２２がトップケース１３０のスライド係合溝
２３２に挿入係合される。さらに、このときボトムケース１２０に対してトップケースア
ッシーＡを閉止方向にスライド移動させることで、図１６に示すように、第１ロックリブ
１２３によって第１ロック脚部１６２が閉止方向に押動されて、ロック部材１６０が軸部
１６１を中心として反時計回り方向に揺動する。ロック部材１６０が図１３及び図１４の
反時計回り方向に揺動すると、このロック部材１６０の第２ロック脚部１６３によってト
ップケース１３０の弾性爪部１３４が側壁１３１ｂ側に押し込まれる（弾性変形する）。
そして、図１７及び図１８に示すように、第２ロック脚部１６３が弾性爪部１３４を乗り
越えたとき、弾性爪部１３４が自身の弾性力によってトップケース空間１３０Ｓ内に張り
出した元の自由状態に復元され、これにより弾性爪部１３４とロック部材１６０とが係合
する。その結果、ロック部材１６０が第２ロックリブ１２４と弾性爪部１３４との間に挟
持されて揺動不能にロックされる。こうしてボトムケース１２０とトップケース１３０と
が閉止状態且つロック状態で一体化されて、主制御基板ケースユニット１００が組み立て
られることとなる。
【００３３】
このように主制御基板ケースユニット１００が組み立てられると、ロックユニット１４
０が基板ケース１１０を開放不能に作用する。すなわち、ボトムケース１２０に対してト
ップケース１３０を開放方向（図１６及び図１７では右方向）にスライド移動させようす
ると、第２ロックリブ１２４によってロック部材１６０の第２ロック脚部１６３が閉止方
向に押動されることで、ロック部材１６０が軸部１６１を中心として図１６及び図１７の
時計回り方向に揺動しようとするが、このロック部材１６０の揺動運動は弾性爪部１３４
と当接することによって規制されるので、ボトムケース１２０に対してトップケース１３
０を開放方向にスライド移動させることはできない。そのため、基板ケース１１０が強固
な閉止状態に保持され、基板ケース１１０の不正な開放が防止される。
【００３４】
以上、本実施形態に係る主制御基板ケースユニット１００によれば、ボトムケース１２
０に対してトップケース１３０を開放方向にスライド移動させようとすると、基板ケース
１１０の内部において、ロック部材１６０が第２ロックリブ１２４に押動されて揺動しよ
うとするが弾性爪部１３４によって当該揺動が規制されることで、トップケース１３０の
当該開放方向へのスライド移動が阻止される構成であるため、基板ケース１１０の不正な
開放を確実に防止して、主制御基板４１に対する不正な改造行為を受け難くすることが可
能である。また、従前のように不正開放防止構造が基板ケース１１０の外部に露出した状
態で装備されるのではなく、ロックユニット１４０が基板ケース１１０の内部に密閉且つ
隠蔽された形で基板ケース１１０を開放不能に作用する構成であるため、基板ケース１１
０の外部からロックユニット１４０へアクセスして係合を解除するのは非常に困難であり
、基板ケース１１０の不正な開放をより厳重に抑止することが可能となる。なお、上記構
成によれば、基板ケース１１０を開放するためには基板ケース１１０を大きく破壊する必
要があり、その場合には破壊の痕跡が明瞭に残存することとなるため、不正な開放の履歴
を認識することで、基板ケース１１０の不正な開放を早期に発見することができる。従っ
て、本実施形態によれば、不正行為の予防及び早期発見に寄与することが可能であるとい
う効果を奏する。
【００３５】
なお、本発明は、上記実施形態に限定されるものではなく、本発明の要旨を逸脱しない
範囲であれば適宜改良可能である。
【００３６】
上述の実施形態では、ロックユニット１４０をトップケース１３０と別体に構成した場
合を例示して説明したが、この構成に限定されるものではなく、ロックユニット１４０と
トップケース１３０とを一体的に形成（例えば樹脂一体成形）してもよい。
【００３７】
また、基板ケース１１０の外部に露出したかたちで従来型の不正開放防止構造（いわゆ
るカシメ構造）を併設して、不正開放行為をより厳重に防止することとしてもよい。
【００３８】
なお、上述の実施形態においては、本発明に係る基板ケースユニットをぱちんこ遊技機
の主制御基板ケースユニットに適用した場合を例示して説明したが、これに限定されるも
のではなく、演出制御基板ケースユニットや払出制御基板ケースユニットなどの他の基板
ケースユニット等に適用してもよく、更には、ぱちんこ遊技機以外の遊技機、例えばスロ
ットマシンの基板ケースユニットに適用しても同様の効果を得ることが可能である。
【符号の説明】
【００３９】
ＰＭ  ぱちんこ遊技機
１  外枠
２  前枠
５  ガラス扉
１０  遊技盤
４１  主制御基板
１００  主制御基板ケースユニット
１１０  基板ケース
１２０  ボトムケース（第１ケース部材）
１２１  ボトムケース本体
１２３  第１ロックリブ（第１被係合部）
１２４  第２ロックリブ（第２被係合部）
１３０  トップケース（第２ケース部材）
１３１  トップケース本体
１３４  弾性爪部（規制部）
１４０  ロックユニット
１５０  支持部材
１６０  ロック部材
１６１  軸部
１６２  第１ロック脚部（第１ロック突起）
１６３  第２ロック脚部（第２ロック突起）
【図１】
2014147426.tif 000003
【図２】
2014147426.tif 000004
【図３】
2014147426.tif 000005
【図４】
2014147426.tif 000006
【図５】
2014147426.tif 000007
【図６】
2014147426.tif 000008
【図７】
2014147426.tif 000009
【図８】
2014147426.tif 000010
【図９】
2014147426.tif 000011
【図１０】
2014147426.tif 000012
【図１１】
2014147426.tif 000013
【図１２】
2014147426.tif 000014
【図１３】
2014147426.tif 000015
【図１４】
2014147426.tif 000016
【図１５】
2014147426.tif 000017
【図１６】
2014147426.tif 000018
【図１７】
2014147426.tif 000019
【図１８】
2014147426.tif 000020